(57)【要約】【課題】良好な操作感が得られる押しボタン装置を提供する。【解決手段】外観面（２０１）を有し、所定の方向に動作可能な押しボタン（２００）と、押しボタンが嵌合する穴部（４２０）を有する部材（４００）とを備えた押しボタン装置であって、押しボタンおよび穴部（４２０）はそれぞれ、外観面（２０１）から所定の方向に向かって順に、外観部（９００）と嵌合部（９０１）とを有し、押しボタンの嵌合部（９０１）は、ベース部（２０４）とベース部（２０４）に設けられた凸部（２０５ａ〜２０５ｄ）とを有する。【選択図】図３
2019179656.tif 000002
【特許請求の範囲】
【請求項１】
外観面を有し、所定の方向に動作可能な押しボタンと、
前記押しボタンが嵌合する穴部を有する部材と、を備えた押しボタン装置であって、
前記押しボタンおよび前記穴部はそれぞれ、前記外観面から前記所定の方向に向かって順に、外観部と嵌合部とを有し、
前記押しボタンの前記嵌合部は、ベース部と前記ベース部に設けられた凸部とを有することを特徴とする押しボタン装置。
【請求項２】
前記凸部は、前記ベース部の上から前記所定の方向と垂直な方向に向けて突出していることを特徴とする請求項１に記載の押しボタン装置。
【請求項３】
前記押しボタンの前記外観部と前記穴部の前記外観部との間のクリアランスは、前記押しボタンの前記凸部と前記穴部の前記嵌合部との間のクリアランスよりも広いことを特徴とする請求項１または２に記載の押しボタン装置。
【請求項４】
前記所定の方向と平行な方向における前記凸部の長さは、前記押しボタンの動作範囲である動作ストロークよりも長いことを特徴とする請求項１乃至３のいずれか１項に記載の押しボタン装置。
【請求項５】
導電部を有する弾性部材と、
前記押しボタンの動作に応じて前記導電部が接触することにより前記押しボタンの動作を検知する回路基板と、を更に有し、
前記導電部と前記回路基板との間のクリアランスは、前記押しボタンの前記動作ストロークに相当することを特徴とする請求項４に記載の押しボタン装置。
【請求項６】
前記押しボタンの前記所定の方向における前記穴部の前記外観部の投影面積は、前記ベース部の投影面積よりも小さいことを特徴とする請求項１乃至５のいずれか１項に記載の押しボタン装置。
【請求項７】
前記押しボタンの前記外観部には、シボ処理および塗装のいずれか一方または両方が施されており、
前記押しボタンの前記嵌合部には、シボ処理および塗装のいずれも施されていないことを特徴とする請求項１乃至６のいずれか１項に記載の押しボタン装置。
【請求項８】
前記穴部の前記外観部には、シボ処理および塗装のいずれか一方または両方が施されており、
前記穴部の前記嵌合部には、シボ処理および塗装のいずれも施されていないことを特徴とする請求項１乃至７のいずれか１項に記載の押しボタン装置。
【請求項９】
前記押しボタンは、前記所定の方向に平行な軸の周りの回転動作を抑制する回転抑制部を有し、
前記凸部は、前記回転抑制部と前記押しボタンの中心とを結ぶ直線からずれた位置に配置されていることを特徴とする請求項１乃至８のいずれか１項に記載の押しボタン装置。
【請求項１０】
前記押しボタンは、前記外観面のうち前記所定の方向において最も低い部位を有し、
前記凸部は、前記部位と前記押しボタンの中心とを結ぶ直線からずれた位置に配置されていることを特徴とする請求項１乃至９のいずれか１項に記載の押しボタン装置。
【請求項１１】
前記押しボタンと他の押しボタンとを接続する接続部を更に有し、
前記凸部は、前記接続部と前記押しボタンとの境界部と前記押しボタンの中心とを結ぶ直線からずれた位置に配置されていることを特徴とする請求項１乃至１０のいずれか１項に記載の押しボタン装置。
【請求項１２】
前記押しボタンは、前記凸部を複数有し、
複数の前記凸部は、前記直線に対して線対称に配置されていることを特徴とする請求項９乃至１１のいずれか１項に記載の押しボタン装置。
【請求項１３】
前記押しボタンは、前記凸部を複数有し、
複数の前記凸部は、前記押しボタンの中心に対して等間隔に配置されていることを特徴とする請求項１乃至１２のいずれか１項に記載の押しボタン装置。
【請求項１４】
請求項１乃至１０のいずれか１項に記載の押しボタン装置を有することを特徴とする電子機器。
【発明の詳細な説明】
【技術分野】
【０００１】
本発明は、電子機器等に使用する押しボタン装置に関する。
【背景技術】
【０００２】
従来、電子機器等において、一定の動作方向に動作が可能な押しボタン装置が搭載されている。使用者は、押しボタン装置を動作方向に押して動作させることにより、電子機器に対して所定の動作の実施を指示することができる。
【０００３】
押しボタン装置は、使用者により押される押しボタン、押しボタンが嵌合する電子機器のカバーに設けられた穴部、および、押しボタンを待機位置に付勢する弾性部材を有する。例えば特許文献１には、弾性部材に設けられた支持部で押しボタンを支持することにより、押しボタンのぐらつきを抑制した構成が開示されている。
【先行技術文献】
【特許文献】
【０００４】
【特許文献１】特開２００２−２３１０９１号公報
【発明の概要】
【発明が解決しようとする課題】
【０００５】
特許文献１に開示された構成では、円筒形状の押しボタンの嵌合部と円孔のカバーの嵌合部とが嵌合している。このため、押しボタンが動作方向とは異なる方向に押しながら操作された場合、押しボタンの嵌合部と円孔のカバーの嵌合部とが面接触する。従って、押しボタンが広い接触面で接触した状態で摺動することになるため、押しボタンが動作する際、摺動摩擦による動作抵抗が大きくなる。その結果、押しボタンの動作が重くなることや、スティックスリップ現象の発生により滑らかな動作が阻害される等、良好な操作感が得られない可能性がある。
【０００６】
そこで本発明は、良好な操作感が得られる押しボタン装置および電子機器を提供することを目的とする。
【課題を解決するための手段】
【０００７】
本発明の一側面としての押しボタン装置は、外観面を有し、所定の方向に動作可能な押しボタンと、前記押しボタンが嵌合する穴部を有する部材とを備えた押しボタン装置であって、前記押しボタンおよび前記穴部はそれぞれ、前記外観面から前記所定の方向に向かって順に、外観部と嵌合部とを有し、前記押しボタンの前記嵌合部は、ベース部と前記ベース部に設けられた凸部とを有する。
【０００８】
本発明の他の側面としての電子機器は、前記押しボタン装置を有する。
【０００９】
本発明の他の目的及び特徴は、以下の実施形態において説明される。
【発明の効果】
【００１０】
本発明によれば、良好な操作感が得られる押しボタン装置および電子機器を提供することができる。
【図面の簡単な説明】
【００１１】
【図１】各実施形態における押しボタン装置が搭載された電子機器の背面図である。
【図２】第１の実施形態における第１の押しボタンおよび第２の押しボタンの配置箇所の拡大図である。
【図３】第１の実施形態における第１の押しボタンの斜視図である。
【図４】図２中の線Ａ−Ａで切断した断面図である。
【図５】図２中の線Ｂ−Ｂで切断した断面図である。
【図６】図４および図５中の線Ｃ−Ｃで切断した第１の押しボタンのみを示す断面図である。
【図７】第２の実施形態における第１の押しボタンおよび第２の押しボタンの配置箇所の拡大図である。
【図８】第２の実施形態における第１の押しボタンおよび第２の押しボタンの斜視図である。
【図９】図７中の線Ａ’−Ａ’における断面図である。
【図１０】図９中の線Ｃ’−Ｃ’における第１の押しボタンのみを示す断面図である。
【発明を実施するための形態】
【００１２】
以下、本発明の実施形態について、図面を参照しながら詳細に説明する。
【００１３】
（第１の実施形態）
まず、図１を参照して、本発明の第１の実施形態における押しボタン装置が搭載された電子機器について説明する。図１は、本実施形態における電子機器（カメラ１００）の背面図である。なお本実施形態において、電子機器はカメラ（撮像装置）１００であるが、本発明はこれに限定されるものではなく、他の電子機器にも適用可能である。
【００１４】
カメラ１００は、押しボタン（第１の押しボタン）２００および押しボタン（第２の押しボタン）３００を有する。押しボタン２００、３００は、カメラ１００のカバー４００に設けられた穴部（図１では図示せず）に嵌合しており、カメラ１００の使用者の手（図示せず）でグリップ部５００を握った状態で、使用者の親指（図示せず）等による操作で動作が可能である。
【００１５】
次に、図２乃至図６を参照して、本実施形態における押しボタン装置について説明する。図２は、押しボタン２００、３００の配置箇所の拡大図である。図２では、外観からは隠れて見えない部分の形状を、押しボタン２００、３００に関しては破線で、カバー４００に関しては一点鎖線でそれぞれ示している。押しボタン２００、３００はそれぞれ、カバー４００に設けられた穴部（第１の穴部）４２０および穴部（第２の穴部）４３０に嵌合している。図３は、押しボタン２００の斜視図である。図４は、図２中の線Ａ−Ａで切断した断面図である。図５は、図２中の線Ｂ−Ｂで切断した断面図である。図６は、図４および図５中の線Ｃ−Ｃで切断した、押しボタン２００のみを示す断面図である。ここで、図３乃至図６は押しボタン２００の形状のみを示しているが、押しボタン３００も押しボタン２００と略同一の形状を有する。
【００１６】
図４および図５に示されるように、押しボタン装置は、押しボタン２００、カバー４００、弾性部材６００、回路基板７００、および、基板支持部材８００を有する。押しボタン２００は外観面２０１を有し、使用者が外観面２０１を動作方向（所定の方向）２０２に押すことにより、押しボタン２００は動作方向２０２に動作する。カバー４００の外観面４４０は、図４に示されるような傾斜を有する（押しボタン２００の動作方向２０２と直交する面に対して傾斜している）。押しボタン２００の外観面２０１は、カバー４００の外観面４４０の傾斜に合わせた傾斜を有する（カバー４００の外観面４４０と押しボタン２００の外観面２０１とは略平行である）。本実施形態において、押しボタン２００の外観面２０１は、動作方向２０２において最も低い箇所である最凹部（部位）２０１ａから動作方向２０２とは逆側の方向（高くなる方向）に傾斜している。このような構成により、外観品位が向上する。
【００１７】
弾性部材６００は、使用者が押しボタン２００の外観面２０１を動作方向２０２の方向に押していない場合、押しボタン２００（外観面２０１）を動作方向２０２とは逆側の方向に向けて付勢する。また弾性部材６００は、使用者が押しボタン２００の外観面２０１を動作方向２０２に押す際に使用者にクリック感を感じさせ、使用者に押しボタン２００の押し込み動作が完了したことを伝える役割を有する。
【００１８】
回路基板７００は、使用者による押しボタン２００の押し込み動作が行われたことを検知することができる。使用者が押しボタン２００の外観面２０１を動作方向２０２に押すと、導電部６１０を含む弾性部材６００が押し込まれ、導電部６１０が回路基板７００に接触する。これにより、回路基板７００に設けられた押しボタン２００の動作検知用配線（図示せず）が導電部６１０により短絡し、回路基板７００は使用者による押しボタン２００の押し込み動作の実施を検知する。図４および図５に示される弾性部材６００の導電部６１０と回路基板７００との間のクリアランス（距離）６１１は、押しボタン２００の動作範囲である動作ストロークに対応する。
【００１９】
基板支持部材８００は、回路基板７００を支持する。また基板支持部材８００は、押しボタン２００の押し込み動作の際に、使用者が押しボタン２００に付加する荷重を受ける。
【００２０】
押しボタン２００は、回転動作を抑制するための凸部（回転抑制部）２０３を有する。凸部２０３は、カバー４００の穴部４２０の回転動作を抑制するための凹部（回転動作抑制凹部）４２１に嵌合し、押しボタン２００の動作方向２０２に平行な軸を回転軸とした回転動作を抑制する。
【００２１】
図４および図５に示されるように、押しボタン２００およびカバー４００の穴部４２０は、押しボタン２００の外観面２０１から動作方向２０２に向けて、順に、外観部９００、嵌合部９０１、および、抜け止め部９０２を有する。押しボタン２００の外観部９００は、外観面２０１を有する部分である。押しボタン２００の嵌合部９０１は、ベース部２０４とベース部２０４上に設けられた凸部２０５ａ〜２０５ｄとを有する。凸部２０５ａ〜２０５ｄは、ベース部２０４の上から動作方向２０２と垂直な方向に向けて突出している。抜け止め部９０２は、押しボタン２００が動作していない場合において、押しボタン２００の動作方向２０２における待機位置を決定する部分である。
【００２２】
押しボタン２００の外観部９００と穴部４２０の外観部９００との間のクリアランス（距離）９１０は、押しボタン２００の凸部２０５ａ〜２０５ｄとカバー４００の穴部４２０の嵌合部９０１との間のクリアランス（距離）９１１よりも広くすることが好ましい。このような構成によれば、押しボタン２００の動作の際に、押しボタン２００の凸部２０５ａ〜２０５ｄの少なくとも一つと穴部４２０の嵌合部９０１とが互いに接触し、押しボタン２００の外観部９００と穴部４２０の外観部９００とが互いに接触しない。このため、押しボタン２００の動作の際に、押しボタン２００の外観部９００と穴部４２０の外観部９００とが互いに接触することを防ぐことができる。
【００２３】
弾性体同士が接触する場合、抗力が同じであれば、接触面積を小さくすることにより、単位面積当たりの抗力が増加し、摩擦係数が小さくなることで、摩擦力の発生を抑制することができる。使用者が、動作方向２０２以外の方向に力を加えて押しボタン２００を操作する場合、凸部２０５ａ〜２０５ｄの少なくとも一つが穴部４２０の嵌合部９０１に押し付けられた状態となる。従って、押しボタン２００の凸部２０５ａ〜２０５ｄの少なくとも一つと穴部４２０の嵌合部９０１だけが摺動することになるため、摺動時の接触面積を小さくすることができる。その結果、押しボタン２００を動作させた際の摩擦力の発生を抑制することができる。このため、動作が重くなることや、スティックスリップ現象の発生により滑らかな動作が阻害される等、操作感の低下を防ぐことができ、良好な操作感を提供することができる。
【００２４】
押しボタン２００の凸部２０５ａ〜２０５ｄは、動作方向２０２と平行な方向に延伸している。図５に示されるように、凸部２０５ａ〜２０５ｄの長さ２０６は、本実施形態においてクリアランス６１１で定義される押しボタン２００の動作ストロークよりも長いことが好ましい。なお、押しボタン２００の動作ストロークの定義は、前述の定義に限定されるものではなく、他の定義であってもよい。このような構成により、押しボタン２００の動作ストロークの範囲内では、動作方向以外の方向の力を加えて操作された場合、常に押しボタン２００の凸部２０５ａ〜２０５ｄのいずれか一つが穴部４２０の嵌合部９０１に接触するだけの状態とすることができる。従って、押しボタン２００を動作中、常に、動作が重くなることやスティックスリップ現象の発生により滑らかな動作が阻害される等の操作感の低下を防ぎ、良好な操作感を保つことが可能である。
【００２５】
図４に示されるように、押しボタン２００の動作方向２０２の穴部４２０の外観部９００の投影面積は、押しボタン２００の動作方向２０２のベース部２０４の投影面積よりも小さいことが好ましい。ここで、外観部９００の投影面積は、穴部４２０の外観部９００の直径４２２から算出することができる。また、ベース部２０４の投影面積は、押しボタン２００の嵌合部９０１のベース部２０４の直径２０７から算出することができる。このような構成により、穴部４２０の外観部９００と押しボタン２００の外観部９００との間の隙間から押しボタン２００の凸部２０５ａ〜２０５ｄが見えることを防ぐことができ、外観品位を保つことが可能である。
【００２６】
押しボタン２００の外観部９００の表面はシボ処理および塗装のいずれか一方または両方を施し、押しボタン２００の嵌合部９０１はシボ処理および塗装のいずれも施さないことが好ましい。また、穴部４２０の外観部９００の表面はシボ処理および塗装のいずれか一方または両方を施し、穴部４２０の嵌合部９０１はシボ処理および塗装のいずれも施さないことが好ましい。このような構成により、外観に露出する面は、シボ処理および塗装のいずれか一方または両方が施されることになるため、外観品位を向上させることができる。同時に、押しボタン２００とカバー４００の穴部４２０が摺動する嵌合部９０１においては、凹凸が大きい等の理由から操作感の低下が懸念されるシボ処理や塗装が施されていないため、操作感が低下することなく良好な操作感を提供ことができる。
【００２７】
押しボタン２００の凸部２０５ａ〜２０５ｄは、押しボタン２００の最凹部２０１ａまたは凸部２０３の少なくとも一つと押しボタン２００の中心軸２０８とを結ぶ直線２０９上の場所以外に配置することが好ましい。また、押しボタン２００の凸部２０５ａ〜２０５ｄは、押しボタン２００の最凹部２０１ａまたは凸部２０３の少なくとも一つと押しボタン２００の中心軸２０８とを結ぶ直線２０９に対して、略線対称に配置することが好ましい。
【００２８】
押しボタン２００の外観面２０１が図４に示されるように傾斜している場合、使用者が押しボタン２００の押込み動作をする際、外観面２０１の斜面に対して垂直な方向２１２に力を加える。この場合、押しボタン２００は、押しボタン２００の最凹部２０１ａを回転中心とした図４に示される矢印２１１の方向の回転運動と動作方向２０２の方向の並進運動とを重ね合わせた運動を行う。押しボタン２００の押し込み動作の際、押しボタン２００が図２中の矢印２１０の方向に回転すると、押しボタン２００の凸部２０３の側面２０３ａ、２０３ｂのいずれか一方が、それぞれの隣接する穴部４２０の凹部４２１の側面４２１ａ、４２１ｂに接触する。この接触により摩擦力が発生し、押しボタン２００の凸部２０３の周辺は動作しづらくなる。その結果、押しボタン２００の押し込み動作を行う際、押しボタン２００は、図４に示される矢印２１１の方向に、押しボタン２００の凸部２０３を回転中心とした回転運動と動作方向２０２の方向の並進運動とを重ね合わせた運動を行う。
【００２９】
本実施形態の構成によれば、押しボタン２００の最凹部２０１ａまたは凸部２０３を回転中心とした矢印２１１の方向への回転運動する場合、２つの凸部２０５ｃ、２０５ｄが穴部４２０の嵌合部９０１に接触する。従って、矢印２１０で示される方向の押しボタン２００の動きが抑制されるため、押しボタン２００の押込み動作を行う際のぐらつきが抑制され、押しボタン２００の操作感を向上させることができる。
【００３０】
押しボタン２００の凸部２０５ａ〜２０５ｄは、押しボタン２００の中心を通り、押しボタン２００の動作方向２０２に平行な中心軸２０８を回転軸とした回転方向で、略等間隔に配置することが好ましい。押しボタン２００の押し込み動作が行われる際、押しボタン２００の凸部２０５ａ〜２０５ｄのうち穴部４２０の嵌合部９０１に接触する数等によって、発生する摩擦力や押しボタン２００のぐらつきの程度が変わるため、押しボタン２００の操作感が異なる。本実施形態の構成によれば、このような操作感のばらつきを低減することができる。
【００３１】
本実施形態において、押しボタン２００の凸部２０５ａ〜２０５ｄの数は４つであることが好ましい。押しボタン２００の凸部２０５ａ〜２０５ｄの数が少ないと、押しボタン２００のベース部２０４が穴部４２０の嵌合部９０１に接触し、摩擦力の増加により操作感が低下する可能性がある。一方、押しボタン２００の凸部２０５ａ〜２０５ｄの数が多いと、押しボタン２００の動作の自由度が失われ、押し込み動作後に押しボタン２００が待機位置に戻らずに詰まってしまう等の操作感の低下の可能性がある。本実施形態の構成によれば、前述の可能性を低減することができる。ただし、押しボタン２００の凸部２０５ａ〜２０５ｄの数は、４つに限定されるものではない。
【００３２】
押しボタン２００の最凹部２０１ａおよび凸部２０３は、グリップ部５００と押しボタン２００の中心軸２０８とを結ぶ直線２０９上で、グリップ部５００と押しボタン２００の中心軸２０８との間に配置されることが好ましい。前述のように、押しボタン２００は、最凹部２０１ａまたは凸部２０３を回転中心とした矢印２１１の方向の回転運動が生じやすい。一方、使用者は、押しボタン２００の押し込み動作を行う際、グリップ部５００から押しボタン２００の中心軸２０８に向かう方向に力を加えると考えられる。この力による回転モーメントは、矢印２１１の方向の回転運動と同一方向であるため、小さな力で押しボタン２００の押し込み動作を行うことができる。従って、本実施形態の構成によれば、押しボタン２００の押し込み動作を行う際の操作感を向上させることが可能となる。
【００３３】
（第２の実施形態）
次に、図７乃至図１０を参照して、本発明の第２の実施形態における押しボタン装置について説明する。なお本実施形態においては、第１の実施形態と異なる部分のみについて説明し、第１の実施形態と同一の構成についての説明は省略する。
【００３４】
図７乃至図１０は、本実施形態による押しボタン装置を説明するための図であり、それぞれ第１の実施形態の図２乃至図６に対応している。図７は、カメラ（電子機器）１００における押しボタン２００、３００の配置箇所の拡大図である。図７では、外観からは隠れて見えない部分の形状を、押しボタン２００、３００に関しては破線で、カバー４００に関しては一点鎖線でそれぞれ示している。図８は、押しボタン２００、３００の斜視図である。図９は、図７中の線Ａ’−Ａ’で切断した断面図である。図１０は、図９中の線Ｃ’−Ｃ’で切断した、押しボタン２００のみを示す断面図である。ここで、図３乃至図６は押しボタン２００の形状のみを示しているが、押しボタン３００も押しボタン２００と略同一の形状を有する。
【００３５】
図７および図８に示されるように、押しボタン２００と押しボタン３００は、接続部２１３によって互いに接続されている。このような構成により、部品点数を削減することができ、部品費や組み立て費を抑制することが可能である。また接続部２１３には、固定穴部２１４が設けられている。接続部２１３は、固定穴部２１４をカバー４００の固定ダボ部４５０に対して圧入することにより固定される。
【００３６】
押しボタン２００の凸部２０５ａ〜２０５ｄは、接続部２１３と押しボタン２００との境界部２１５と、押しボタン２００の中心軸２０８とを結ぶ直線２０９上の場所以外に配置することが好ましい。また、押しボタン２００の凸部２０５ａ〜２０５ｄは、接続部２１３と押しボタン２００との境界部２１５と押しボタン２００の中心軸２０８とを結ぶ直線２０９に対して略線対称に配置することが好ましい。
【００３７】
接続部２１３は、固定穴部２１４でカバー４００に固定されているため、接続部２１３は動作が抑制された状態となっている。従って、押しボタン２００の押し込み動作が行われる際、押しボタン２００は、図９に示される矢印２１１の方向に、接続部２１３と押しボタン２００との境界部２１５を回転中心とした回転運動と動作方向２０２の方向の並進運動とを重ね合わせた運動を行う。本実施形態の構成によれば、接続部２１３を回転中心とした矢印２１１の方向への回転運動する場合、２つの凸部２０５ｃ、２０５ｄが穴部４２０の嵌合部９０１に接触する。従って、矢印２１０で示される方向の押しボタン２００の動きが抑制されるため、押しボタン２００の押し込み動作を行う際のぐらつきが抑制され、押しボタン２００の操作感を向上させることができる。
【００３８】
接続部２１３と押しボタン２００との境界部２１５は、グリップ部５００と押しボタン２００の中心軸２０８とを結ぶ直線２０９上で、グリップ部５００と押しボタン２００の中心軸２０８との間に配置されることが好ましい。前述のように、押しボタン２００は、接続部２１３と押しボタン２００との境界部２１５を回転中心とした矢印２１１の方向の回転運動が生じやすい。また、使用者は、押しボタン２００の押し込み動作を行う際、グリップ部５００から押しボタン２００の中心軸２０８に向かう方向に力を加えると考えられる。この力による回転モーメントは、矢印２１１の方向の回転運動と同一方向であるため、小さな力で押しボタン２００の押し込み動作を行うことができる。従って、本実施形態の構成により、押しボタン２００の押し込み動作を行う際の操作感を向上させることが可能となる。
【００３９】
このように各実施形態において、押しボタン装置は、外観面２０１を有し、所定の方向（動作方向２０２）に動作可能な押しボタン２００と、押しボタン２００が嵌合する穴部４２０を有する部材（カバー４００）とを備えている。また、押しボタン２００および穴部４２０はそれぞれ、外観面２０１から所定の方向に向かって順に、外観部９００と嵌合部９０１とを有する。また押しボタン２００の嵌合部９０１は、ベース部２０４とベース部２０４に設けられた凸部２０５ａ〜２０５ｄとを有する。
【００４０】
好ましくは、凸部２０５ａ〜２０５ｄは、ベース部２０４の上から所定の方向と垂直な方向に向けて突出している。また好ましくは、押しボタン２００の外観部９００と穴部４２０の外観部９００との間のクリアランス９１０は、押しボタン２００の凸部２０５ａ〜２０５ｄと穴部４２０の嵌合部９０１との間のクリアランス９１１よりも広い。また好ましくは、所定の方向と平行な方向における凸部２０５ａ〜２０５ｄの長さ２０６は、押しボタン２００の動作範囲である動作ストロークよりも長い。より好ましくは、押しボタン装置は、導電部６１０を有する弾性部材６００と、押しボタン２００の動作に応じて導電部６１０が接触することにより押しボタン２００の動作を検知する回路基板７００とを備える。このとき、導電部６１０と回路基板７００との間のクリアランス６１１は、押しボタン２００の動作ストロークに相当する。
【００４１】
好ましくは、押しボタン２００の所定の方向における穴部４２０の外観部９００の投影面積は、ベース部２０４の投影面積よりも小さい。また好ましくは、押しボタン２００の外観部９００にはシボ処理および塗装のいずれか一方または両方が施されており、押しボタン２００の嵌合部９０１には、シボ処理および塗装のいずれも施されていない。また好ましくは、穴部４２０の外観部９００にはシボ処理および塗装のいずれか一方または両方が施されており、穴部４２０の嵌合部９０１にはシボ処理および塗装のいずれも施されていない。
【００４２】
好ましくは、押しボタン２００は、所定の方向に平行な軸の周りの回転動作を抑制する回転抑制部（凸部２０３）を有する。このとき凸部２０５ａ〜２０５ｄは、回転抑制部と押しボタンの中心（中心軸２０８）とを結ぶ直線２０９からずれた位置に配置されている。また好ましくは、押しボタン２００は、外観面２０１のうち所定の方向において最も低い部位（最凹部２０１ａ、図９では図示せず）を有する。このとき凸部２０５ａ〜２０５ｄは、部位（最凹部２０１ａ）と押しボタン２００の中心とを結ぶ直線２０９からずれた位置に配置されている。また好ましくは、押しボタン装置は、押しボタン２００と他の押しボタン（押しボタン３００）とを接続する接続部２１３を有する。このとき凸部２０５ａ〜２０５ｄは、接続部２１３と押しボタン２００との境界部２１５と押しボタン２００の中心とを結ぶ直線２０９からずれた位置に配置されている。
【００４３】
好ましくは、押しボタン２００は、複数の凸部２０５ａ〜２０５ｄを有し（凸部を複数有し）、複数の凸部は、直線２０９に対して線対称に配置されている。また好ましくは、複数の凸部２０５ａ〜２０５ｄは、押しボタン２００の中心に対して等間隔に配置されている。
【００４４】
各実施形態によれば、良好な操作感が得られる押しボタン装置および電子機器を提供することができる。
【００４５】
以上、本発明の好ましい実施形態について説明したが、本発明はこれらの実施形態に限定されず、その要旨の範囲内で種々の変形及び変更が可能である。
【符号の説明】
【００４６】
２００  押しボタン
２０１  外観面
２０４  ベース部
２０５ａ〜２０５ｄ  凸部
４００  カバー（部材）
４２０  穴部
９００  外観部
９０１  嵌合部
【図１】
2019179656.tif 000003
【図２】
2019179656.tif 000004
【図３】
2019179656.tif 000005
【図４】
2019179656.tif 000006
【図５】
2019179656.tif 000007
【図６】
2019179656.tif 000008
【図７】
2019179656.tif 000009
【図８】
2019179656.tif 000010
【図９】
2019179656.tif 000011
【図１０】
2019179656.tif 000012